(57)【要約】【課題】  未成年者への販売が制限されている成人向けの内容を有する電子書籍などが、未成年者に販売されることを防止できるようにした電子書籍販売システムを提供する。【解決手段】  ユーザの年齢情報が記憶されたユーザ用記憶媒体と、ユーザ端末に接続され、ユーザ用記憶媒体に記憶された年齢情報を読み取る読取装置と、入力手段と、入力した電子書籍の購入依頼情報と年齢情報とを電子書籍提供サーバに送信する手段と、電子書籍提供サーバから受信した暗号化された電子書籍を復号用鍵で復号する復号手段とを有するユーザ端末と、暗号化された電子書籍が格納された電子書籍データベースと、暗号化された電子書籍を配信する電子書籍配信手段と、受信した年齢情報の年齢が販売制限の年齢に該当するか否かを判定する年齢制限判定手段と、判定で販売制限する年齢に該当しないと判定された場合に、ユーザ端末に対して復号鍵を送信する復号鍵送信手段とを有する。【選択図】        図2
2006072714.tif 000002
【特許請求の範囲】
【請求項１】
通信ネットワークを介して電子書籍提供サーバとユーザ端末とが接続され、前記ユーザ端末からの電子書籍購入依頼に基づいて、前記電子書籍提供サーバから前記ユーザ端末に対して電子書籍の配信を行なう電子書籍販売システムであって、
ユーザの年齢情報が記憶された記憶手段を有するユーザ用記憶媒体と、
前記ユーザ端末に接続され、前記ユーザ用記憶媒体に記憶された年齢情報を読み取る読取装置と、
電子書籍の購入依頼情報を入力する入力手段と、前記入力手段で入力した電子書籍の購入依頼情報と、前記読取装置で読み取った年齢情報とを、前記電子書籍提供サーバに送信する手段と、を有するユーザ端末と、
暗号化された電子書籍が格納された電子書籍データベースと、前記ユーザ端末から受信した電子書籍の購入依頼情報に基づいて、購入依頼のあった暗号化された電子書籍を配信する電子書籍配信手段と、前記ユーザ端末から受信した年齢情報の年齢が、電子書籍の販売を制限している年齢に該当するか否かを判定する年齢制限判定手段とを有する電子書籍提供サーバと、
からなることを特徴とする電子書籍販売システム。
【請求項２】
前記ユーザ端末は、前記電子書籍提供サーバから受信した暗号化された電子書籍を、復号用鍵を用いて復号する復号手段を有し、
前記電子書籍提供サーバは、前記年齢制限判定手段による判定で、電子書籍の販売を制限する年齢に該当しないと判定された場合に、前記ユーザ端末に対して、暗号化された電子書籍を復号することができる復号鍵を送信する復号鍵送信手段を有することを特徴とする請求項１記載の電子書籍販売システム。
【発明の詳細な説明】
【技術分野】
【０００１】
本発明は、通信ネットワークを介して電子書籍提供サーバとユーザ端末とが接続され、ユーザ端末からの電子書籍購入依頼に基づいて、電子書籍提供サーバからユーザ端末に対して電子書籍の配信を行なう電子書籍販売システムに関する。
【背景技術】
【０００２】
従来、通信ネットワークを介して電子書籍提供サーバとユーザ端末とが接続され、ユーザ端末からの電子書籍購入依頼に基づいて、電子書籍提供サーバからユーザ端末に対して電子書籍の配信を行なう電子書籍販売システムが既に公知となっている。（例えば、特許文献１、参照）
これらの電子書籍販売システムでは、利用者がユーザ端末を使用して通信ネットワークを介して電子書籍提供サーバと通信を行なうことで、利用者が購入を希望する電子書籍をデジタルデータとして電子書籍提供サーバからユーザ端末に配信するものである。
【特許文献１】特開２００２−２４５２６５号公報
【０００３】
このような電子書籍販売システムでは、対面販売ではなく通信ネットワークを介して電子書籍の購入申込みや販売が行なわれるため、電子書籍の販売者から購入者を見て確認できないので、購入者がどのような年齢であるのかを全く知ることができない。
したがって、例えば未成年者への販売を制限するような成人向けの内容を有する電子書籍であったとしても、購入者の年齢に応じて販売制限を行なうことができないという問題がある。
このようなことでは、店頭で購入できない書籍でも、通信ネットワークを介して電子書籍としてならば、未成年者でも入手できてしまうという矛盾が生じるという問題がある。
【発明の開示】
【発明が解決しようとする課題】
【０００４】
本発明は、通信ネットワークを介して電子書籍を販売する場合において、電子書籍の内容に応じて購入者の年齢による販売制限を行なえるようにすることで、未成年者への販売が制限されている成人向けの内容を有する電子書籍などが、未成年者に販売されることを防止できるようにした電子書籍販売システムを提供する。
【課題を解決するための手段】
【０００５】
本発明の電子書籍販売システムは、通信ネットワークを介して電子書籍提供サーバとユーザ端末とが接続され、前記ユーザ端末からの電子書籍購入依頼に基づいて、前記電子書籍提供サーバから前記ユーザ端末に対して電子書籍の配信を行なう電子書籍販売システムであって、ユーザの年齢情報が記憶された記憶手段を有するユーザ用記憶媒体と、前記ユーザ端末に接続され、前記ユーザ用記憶媒体に記憶された年齢情報を読み取る読取装置と、電子書籍の購入依頼情報を入力する入力手段と、前記入力手段で入力した電子書籍の購入依頼情報と、前記読取装置で読み取った年齢情報とを、前記電子書籍提供サーバに送信する手段と、を有するユーザ端末と、暗号化された電子書籍が格納された電子書籍データベースと、前記ユーザ端末から受信した電子書籍の購入依頼情報に基づいて、購入依頼のあった暗号化された電子書籍を配信する電子書籍配信手段と、前記ユーザ端末から受信した年齢情報の年齢が、電子書籍の販売を制限している年齢に該当するか否かを判定する年齢制限判定手段とを有する電子書籍提供サーバと、からなることを特徴とする。
【０００６】
また、本発明の電子書籍販売システムは、前記ユーザ端末は、前記電子書籍提供サーバから受信した暗号化された電子書籍を、復号用鍵を用いて復号する復号手段を有し、前記電子書籍提供サーバは、前記年齢制限判定手段による判定で、電子書籍の販売を制限する年齢に該当しないと判定された場合に、前記ユーザ端末に対して、暗号化された電子書籍を復号することができる復号鍵を送信する復号鍵送信手段を有することを特徴とする。
【発明の効果】
【０００７】
本発明の電子書籍販売システムは、通信ネットワークを介して電子書籍の購入申込みが行なわれた際に、購入申込者の年齢に基づく判定が行なわれ、購入申込みされた電子書籍が年齢制限する内容である場合には、未成年者への販売が制限されている成人向けの内容を有する電子書籍などが未成年者に対して配信されることを防止することができるという効果がある。
【０００８】
また、本発明の電子書籍販売システムは、購入申込者の年齢に基づく判定で販売が制限されている場合には、暗号化された電子書籍の復号用鍵の送信を行なわないようにしているので、未成年者への販売が制限されている成人向けの内容を有する電子書籍について、復号させて認識できる状態にもどすことができないので、未成年者がその内容を見ることを防止することができるという効果がある。
【発明を実施するための最良の形態】
【０００９】
以下、本発明の実施の形態を図面に基づいて詳細に説明する。
図１は、本発明の実施形態に係る電子書籍販売システムの概要を説明する図、図２は、本発明の実施形態に係る電子書籍販売システムのシステム構成図、図３は、本発明の実施形態に係る電子書籍販売システムの処理手順を示すフローチャートである。
【００１０】
図１に示すように、通信ネットワーク１を介して電子書籍提供サーバ２と、利用者が電子書籍の購入を申し込む際に使用するユーザ端末３とが接続されている。
そして、電子書籍の購入を行なう利用者は、ユーザ端末３を操作して所望の電子書籍についての購入依頼情報を入力して、通信ネットワーク１を介して電子書籍提供サーバ２に送信することで、電子書籍の購入申込みを行なう。
また、電子書籍の販売を行なう販売者は、電子書籍提供サーバ２からユーザ端末３に対して、購入依頼のあった電子書籍の配信を行なうことで電子書籍の販売を行なえるようにシステム化されている。
【００１１】
また、電子書籍の購入申込みを行なう利用者は、予めユーザ記憶媒体であるＩＣカード５を所有している。
このＩＣカード５は、クレジットカード機能を併用することで、電子書籍の代金支払いをクレジットで処理できるようにしてもよい。
また、ＩＣカード５には、少なくともそのＩＣカード５の所持者の年齢情報が記憶されている記憶手段を有している。
【００１２】
また、ユーザ端末３には、ユーザ記憶媒体であるＩＣカード５に記憶されている年齢情報を読み取ることができる読取装置であるＩＣカードリーダ４が接続され、ＩＣカードリーダ４のデータ読取手段６によりＩＣカード５から読み取った年齢情報を、ユーザ端末３で取り込むことができるように構成されている。
【００１３】
次に、本発明の実施形態に係る電子書籍販売システムのシステム構成を図２に基づいて説明する。
ユーザ端末３には、表示手段７、記憶手段８、入力手段９、通信手段１０、復号手段１１、制御手段１２、などが備えられている。
入力手段９により、利用者が購入を希望する電子書籍の購入依頼情報などを入力する。
また、復号手段１１は、電子書籍提供サーバ２から受信した暗号化された電子書籍を、復号用鍵を用いて復号する機能を有している。
【００１４】
ここで用いる復号用鍵は、書籍の購入申込者の年齢が購入制限の対象となっていないと判定された場合に、電子書籍提供サーバ２からユーザ端末３に対して送信される復号用鍵であり、復号用鍵がないと暗号化された電子書籍を復号して電子書籍の内容を読むことができないようにしてある。
【００１５】
次に、電子書籍提供サーバ２には、通信手段１３、電子書籍配信手段１４、年齢制限判定手段１５、復号用鍵送信手段１６、記憶手段１７、制御手段１８、電子書籍データベース１９、などが備えられている。
【００１６】
電子書籍データベース１９には、通信ネットワーク１を介して電子書籍提供サーバ２からユーザ端末３に送信して販売するための暗号化された電子書籍が複数種類格納されている。
電子書籍データベース１９に格納されている複数種類の暗号化された電子書籍は、それぞれ異なる暗号用鍵で暗号化されており、これらの暗号化された電子書籍を復号することができる復号用鍵も、暗号用鍵毎に一対で使用して復号できる復号用鍵が用意されている。
電子書籍データベース１９には、暗号化された電子書籍毎に、その暗号化された電子書籍を復号するための復号用鍵とが関係付けられて登録されている。
【００１７】
また、電子書籍配信手段１４は、ユーザ端末３から受信した電子書籍の購入依頼情報に基づいて、購入依頼のあった暗号化された電子書籍を配信する機能を有している。
年齢制限判定手段１５は、ユーザ端末３から受信した年齢情報の年齢が、電子書籍の販売を制限している年齢に該当するか否かを判定する機能を有している。
復号用鍵送信手段１６は、年齢制限判定手段１５による判定で、電子書籍の販売を制限する年齢に該当しないと判定された場合に、ユーザ端末３に対して、暗号化された電子書籍を復号することができる復号用鍵を送信する機能を有している。
【００１８】
次に、本発明の実施形態に係る電子書籍販売システムの処理手順を、図３のフローチャートに基づいて説明する。
まず、利用者は、自分が所持するユーザ記憶媒体であるＩＣカード５をＩＣカードリーダ４にセットして、ＩＣカード５に記憶されている利用者の年齢情報を読み取り、その年齢情報をＩＣカードリーダ４からユーザ端末３に送られる。（ステップＳ１）
【００１９】
利用者は、ユーザ端末３の入力手段９から購入申込みを行なう電子書籍購入情報の入力を行なう。（ステップＳ２）
購入申込みを行なう電子書籍購入情報には、購入申込みを行なう電子書籍を管理するための書籍ＩＤが含まれている。
次に、ユーザ端末３から電子書籍提供サーバ２に対して、利用者の年齢情報と電子書籍購入情報とを送信する。（ステップＳ３）
【００２０】
ユーザ端末３からこれらの情報を受信した電子書籍提供サーバ２において、ユーザ端末３から受信した年齢情報の年齢が、電子書籍の販売を制限している年齢に該当するか否かを年齢制限判定手段で判定処理する。（ステップＳ４）
この判定処理において、電子書籍の販売を制限する年齢に該当しないと判定された場合に、電子書籍提供サーバ２からユーザ端末に対して、暗号化された電子書籍を復号することができる復号用鍵を送信する。（ステップＳ５）
【００２１】
続いて、電子書籍提供サーバ２がユーザ端末３から受信した電子書籍購入情報に含まれる書籍ＩＤに該当する電子書籍であって、電子書籍データベース１９に暗号化された電子書籍データを抽出して、電子書籍提供サーバ２からユーザ端末３に配信する。（ステップＳ６）
【００２２】
次に、ユーザ端末３で受信した暗号化された電子書籍を復号用鍵により復号させる。（ステップＳ７）
そして、復号させた電子書籍をユーザ端末３の表示手段７に表示させる。（ステップＳ８）
これにより、購入申込みを行なった電子書籍をユーザ端末３で入手して見ることができる。
尚、年齢制限判定手段での判定処理において、年齢制限に該当すると判定された場合には、復号用鍵及び暗号化された電子書籍は送られないで処理を終了する。
【００２３】
以上のように、本発明の電子書籍販売システムでは、電子書籍提供サーバ２の年齢制限判定手段１５での判定により、暗号化された電子書籍を復号するための復号用鍵を電子書籍の購入申込者に対して送信する場合と、送信しない場合とに分けることができるので、例えば、未成年者への販売を制限する成人向けの内容を有する電子書籍には、年齢制限判定手段１５での判定条件として、電子書籍の購入申込者の年齢が２０歳以上に設定することで、たとえ未成年者から電子書籍の購入申込があったとしても、復号用鍵が送信されることがないので、暗号化された電子書籍の内容を見ることができないようにしてある。
【図面の簡単な説明】
【００２４】
【図１】本発明の実施形態に係る電子書籍販売システムの概要を説明する図である。
【図２】本発明の実施形態に係る電子書籍販売システムのシステム構成図である。
【図３】本発明の実施形態に係る電子書籍販売システムの処理手順を示すフローチャートである。
【符号の説明】
【００２５】
１  通信ネットワーク
２  電子書籍提供サーバ
３  ユーザ端末
４  ＩＣカードリーダ
５  ＩＣカード
６  データ読取手段
７  表示手段
８，１７  記憶手段
９  入力手段
１０，１３  通信手段
１１  復号手段
１２，１８  制御手段
１４  電子書籍配信手段
１５  年齢制限判定手段
１６  復号用鍵送信手段
１９  電子書籍データベース
【図１】
2006072714.tif 000003
【図２】
2006072714.tif 000004
【図３】
2006072714.tif 000005